(57)【特許請求の範囲】
【請求項１】
景品球払出装置等が組付られる機構板の裏側に、前記景品球払出装置等を覆い、かつこれらの保守・点検のために開閉される開閉蓋を装着し、また回動させることによって前記開閉蓋を開放又は閉塞し得るロック部材を設けてなるパチンコ機において、
前記機構板の裏側に支軸を突設すると共にその先端に抜止片を一体に設け、一方、前記ロック部材には前記支軸に嵌着し得る軸筒部を設けると共に、前記軸筒部に隣接し前記支軸の直径より若干狭い幅の狭窄部を介して連通する長筒部を設けてなり、前記支軸に前記長筒部を嵌着すると共にそのまま前記軸筒部側へスライドさせ前記抜止片を前記軸筒部の表側周縁に係止することにより前記機構板に前記ロック部材を回動自在に取付けるようにしたパチンコ機の機構板におけるロック部材の取付構造。
【発明の詳細な説明】
【０００１】
【産業上の利用分野】
本発明は、パチンコ機の機構板裏面に取付られ、景品球払出装置や入賞球排出制御装置等を覆い、かつこれらの保守・点検のために開閉される開閉蓋のロック部材の取付構造に関するものである。
【０００２】
【従来の技術】
従来、パチンコ機の裏面に装着され、入賞球の発生に伴い景品球を払い出す景品球払出装置、入賞球を処理する入賞球排出制御装置等を組付けた機構板の裏面には、前記景品球払出装置、または入賞球排出制御装置等を覆い、かつこれらの保守・点検のために開閉される開閉蓋が設けられている。そして、図１４に示すように該開閉蓋１００は、機構板１０１裏面に回動自在に取着されたロック部材１０２を表面に掛止又は表面から外すことによりその開放又は閉塞を行い得るようにしている。
【０００３】
ところで、前記ロック部材１０２はねじ止めにより機構板１０１に取着されている。すなわち、図１５に示すように、開閉蓋１００上側縁の機構板１０１の裏面にねじ孔１０３を穿設した突起１０４を突設し、一方、ロック部材１０２の一端に前記突起１０４に嵌着し得る支持孔１０５を開設し、該支持孔１０５を突起１０４に嵌着すると共に、ねじ孔１０３にワッシャ１０６を介してねじ１０７を螺締することによりロック部材１０２を回動自在に軸支するようにしていた。
【０００４】
【発明が解決しようとする課題】
このように、ロック部材１０２はねじ止めにより取り付けられ、しかもねじ１０７を突起１０４の先端に螺締するので、締め損じて落すことが有るなど作業しずらく、手間の掛かるものであった。また、パチンコ機において、現状では、この種のロック部材の取付けを含む裏部品の組付けに際しては多数のねじ止め作業が必要とされており、作業能率の向上及び製造上のコストダウンを図るために１本でもねじ止め作業を減らすことが重要な課題とされている。
【０００５】
そこで、本発明は、上記課題を解決すべくなされたものであり、ねじ止めを無くすことにより簡単にロック部材が取り付けられるパチンコ機の機構板におけるロック部材の取付構造を提供することを目的としている。
【０００６】
【課題を解決するための手段】
上記目的を達成するため、本発明のパチンコ機の機構板におけるロック部材の取付構造は、景品球払出装置、入賞球排出制御装置等が組付られる機構板の裏側に、景品球払出装置または入賞球排出制御装置等を覆い、かつこれらの保守・点検のために開閉される開閉蓋を装着し、また回動させることによって開閉蓋を開放又は閉塞し得るロック部材を設けてなるパチンコ機において、
機構板又はロック部材のいずれか一方に係止部を設けると共に、他方に被係止部を設け、これら係止部と被係止部を互いに係止することにより機構板にロック部材を取付るようにした構成からなるものである。
【０００７】
【作用】
機構板又はロック部材のいずれか一方に設けられた係止部と他方に設けられた被係止部とを互いに係止する。これにより、機構板にロック部材がねじ止めすることなく簡単に取付けられる。
そして、ロック部材は取付られた状態では緩みを生ずることなく回動自在に保持され、開閉蓋の開閉動作を正確に行う。
【０００８】
【実施例】
以下本発明に係るパチンコ機の機構板におけるロック部材の取付構造の一実施例を図面に基づき説明する。図１は本発明が適用されるパチンコ機の裏面図であり、図中１はパチンコ機の前面枠、２は該前面枠１の裏面に着脱自在に取付られる遊技盤、３は遊技盤２の裏面に開閉自在に装着される合成樹脂製の機構板である。この機構板３の裏面上部には、図２に示すように景品球タンク４が固着される。また、景品球タンク４の下方には、該景品球タンク４の球を整列して導き出すタンクレール５が設けられ、その流下端に屈曲樋６を介して景品球払出装置７が設けられる。
【０００９】
更に、景品球払出装置７の下方には景品球をパチンコ機の前面に導く景品球排出樋８が形成される。９は該景品球排出樋８及び機構板３の下部に設けた入賞球排出制御装置（図示せず。）等を裏面からカバーするため合成樹脂により成形された略Ｌ型の裏カバーである。該裏カバー９は機構板３に対し着脱自在に装着されるもので、その上縁部には水平に枢支部１０が設けられ、該枢支部１０に上端縁が屈曲樋６の表面に当接して前記景品球払出装置７を開閉自在に覆う開閉蓋１１が枢支されている。
【００１０】
しかして、図３において、１２は前記屈曲樋６の表面に取付られ、開閉蓋１１を開放又は閉塞し得る合成樹脂製のロック部材である。そこで、屈曲樋６の表面には開閉蓋１１の上端縁に近接させて形成される円板状の基板部１３から支軸１４が突設されると共に、該支軸１４の先端に係止部として抜止片１５が両側に張り出し状に設けられる。また、支軸１４の斜の上方には屈曲樋６の表面に受止杆１６が突設されている。一方、前記ロック部材１２は図４に示すように表面を閉塞した楕円筒状の長筒部１２ａからなり、その前面に摘み片１７が一体に設けられている。
【００１１】
更に、長筒部１２ａの一側に前記支軸１４の直径より若干幅の狭い狭窄部１２ｂを介して連通する被係止部としての軸筒部１２ｃが設けられる。該軸筒部１２ｃは表裏側面が共に開放され、しかも、その内径は前記支軸１４の外径と略同一寸法に設定される。また、長筒部１２ａの裏面は軸筒部１２ｃより段差１８を持たせて切欠いてあるが、これは開閉蓋１１の表面が屈曲樋６の表面より出張っているため、当らないようその分隙間を持たせる必要が有るからである。更に、１９は前記長筒部１２ａの裏面から突出される突子である。前記開閉蓋１１の表面には、先端縁中央に突子１９が嵌入し得る凹欠２０が穿設されると共に、その傍にロック部材１２の停止位置を決めるストッパー片２１が一体に形成されている。
【００１２】
そこで、ロック部材１２を屈曲樋６の表面に取付けるには、まず、図５鎖線に示すようにロック部材１２の長筒部１２ａを支軸１４に嵌着すると共に、そのまま一方（図中右側）へスライドさせる。この状態では同図実線で示すように支軸１４に軸筒部１２ｃが嵌着される。そして、抜止片１５が軸筒部１２ｃの表側周縁に係止され、これによりロック部材１２が支軸１４に抜脱不能且つ回動自在に取付られる。そして、図６に示すように、開閉蓋１１を閉塞した状態で、摘み片１７を下方へ回動することにより、ロック部材１２がストッパー片２１に当接すると同時に突子１９が凹欠２０に嵌入してその状態を保持する。
【００１３】
これに対し、開閉蓋１１を開放するには、摘み片１７を摘んでロック部材１２を逆に上方へ回動させ、突子１９を凹欠２０から抜け出させて開閉蓋１１の表面から外すことにより行うこができる。また、この際、ロック部材１２を受止杆１６に掛け止めておけば開閉蓋１１を閉塞する位置に戻ることはないので、該開閉蓋１１の開閉動作が行い易い。
【００１４】
なお、機構板３の裏カバー９における入賞球排出制御装置に対応する位置にも開閉蓋１１ａが開閉自在に装着されるが、該開閉蓋１１ａも前記と同様裏カバー９の表面にロック部材１２が取付けられている。その作用については本実施例と変らないので説明は省略する。
【００１５】
図７乃至図９は他の実施例を示すもので、この実施例によれば、屈曲樋６の表面に被係止部として係止孔２２が貫設され、その周縁に環状突出部２３が形成されている。一方、ロック部材１２１は正面略楕円形状に形成され、その一側に係止部として外方へ突出する爪部２４ａを設けた一対の係止片２４，２４が突設されている。また、該各係止片２４，２４と９０度位置を違え、しかも、各係止片２４，２４より短い一対の突出片２５，２５が設けられる。更に、ロック部材１２１の表面には摘み片１７、また裏面には突子１９が設けられている。
【００１６】
そして、図８、図９に示すように、開閉蓋１１を閉塞した状態で、係止片２４，２４を係止孔２２内に押し込み、爪部２４ａ，２４ａを係止孔２２の裏側周縁に係止させる。これにより、ロック部材１２１が屈曲樋６の表面に回動自在に取付られる。この際、前記突出片２５，２５の先端面が環状突出部２３の先端面に当接し、爪部２４ａ，２４ａと係止孔２２との係止が緩んでガタを起さないようにしている。また、ロック部材１２１を回動することにより開閉蓋１１を開放又は閉塞する動作は本実施例と同様である。なお、前記係止孔２２の先端内周面はテーパが形成されているので、爪部２４ａ，２４ａが侵入し易い。
【００１７】
図１０乃至図１２も他の実施例を示すもので、この実施例によれば、屈曲樋６の表面に被係止部として係止孔２２が貫設され、その周縁に環状突出部２３１が形成されている。該環状突出部２３１は先端部に外周を低くした環状段部２６が設けられる。一方、ロック部材１２２は正面略楕円形状に形成され、一側に係止部として外方へ突出する爪部２４ａを先端に設けた一対の係止片２４，２４が突設されている。また、該各係止片２４，２４と９０度位置を違え、しかも、各係止片２４，２４より短い一対の突出片２５１，２５１が設けられる。該各突出片２５１，２５１の先端部には内側を低くした段部２７を設けている。
【００１８】
更に、前記他の実施例と同様に、ロック部材１２２の表面に摘み片１７、また裏面には突子１９が設けられている。そして、図１１、図１２に示すように開閉蓋１１を閉塞した状態で、係止片２４，２４を係止孔２２内に押し込み、爪部２４ａ，２４ａを係止孔２２の裏側周縁に係止させる。この際、環状突出部２３１の環状段部２６に各突出片２５１，２５１の段部２７が係合するので、ロック部材１２２を回動するにガイドの役目を果し、その回動動作が安定する。
【００１９】
図１３も他の実施例を示すもので、この実施例の場合は、屈曲樋６の表面に形成される円板状の基板部１３１に支軸１４１を突設すると共に、その先端に係止部として円板状の抜止片１５１を張り出し状に設けている。一方、ロック部材１２３は正面略楕円形状に形成され、その一側に前記支軸１４１に嵌着し得る軸孔２８が設けられる。また、該軸孔２８の一側に外部と連通しかつ支軸１４１の直径より狭い幅を有する狭窄部２８ａが設けられている。２９，２９は該狭窄部２８ａへ支軸１４１を導くため外方端側が広がった一対のガイド片である。この場合も、ロック部材１２３の表面に摘み片１７、また裏面に突子１９が設けられている。
【００２０】
そして、狭窄部２８ａから軸孔２８を支軸１４１へ嵌着することにより、ロック部材１２３が屈曲樋６の表面に回動自在に取付られる。
【００２１】
【発明の効果】
以上述べたように、本発明に係るパチンコ機の機構板におけるロック部材の取付構造は、機構板又はロック部材のいずれか一方に係止部を設けると共に、他方に被係止部を設け、これら係止部と被係止部を互いに係止するようにしたので、ロック部材をねじを使用することなくワンタッチ操作で簡単且つ確実に機構板に取り付けることができ、これにより作業性の向上、低コスト化等に優れた効果を有する。
【図面の簡単な説明】
【図１】本発明が適用されるパチンコ機の裏面図。
【図２】機構板の裏面斜視図。
【図３】機構板の要部拡大斜視図。
【図４】ロック部材の下面斜視図。
【図５】ロック部材の取付方法を示す要部断面図。
【図６】ロック部材を取付した状態を示す要部断面図。
【図７】他の実施例のロック部材を示す斜視図。
【図８】同取付状態を示す断面図。
【図９】図８のＸ−Ｘ線断面図。
【図１０】他の実施例のロック部材を示す斜視図。
【図１１】同取付状態を示す断面図。
【図１２】図１１におけるＹ−Ｙ線断面図。
【図１３】他の実施例のロック部材を示す斜視図。
【図１４】従来技術を示す機構板の裏面斜視図。
【図１５】同要部の断面図。
【符号の説明】
３        機構板
７        景品球払出装置
１１      開閉蓋
１２      ロック部材
１２ｃ    軸筒部（被係止部）
１５      抜止片（係止部）
【図１】
0003594989.tif 000002
【図２】
0003594989.tif 000003
【図３】
0003594989.tif 000004
【図４】
0003594989.tif 000005
【図５】
0003594989.tif 000006
【図６】
0003594989.tif 000007
【図７】
0003594989.tif 000008
【図８】
0003594989.tif 000009
【図９】
0003594989.tif 000010
【図１０】
0003594989.tif 000011
【図１１】
0003594989.tif 000012
【図１２】
0003594989.tif 000013
【図１３】
0003594989.tif 000014
【図１５】
0003594989.tif 000015
【図１４】
0003594989.tif 000016